(57)【特許請求の範囲】
【請求項１】
田植機に装着する側条施肥機（３６）であって、施肥ホッパー（４６）の下部に繰出装置を配設し、各々の繰出装置の繰出部に、少なくとも吸入口（１５４）、排出口（１６１）、ファン（１５２）、ファン駆動軸（１５６）を内装するブロワケーシング（５１）を設け、該側条施肥機（３６）を複数並置し、一側端の側条施肥機（３６）のブロワケーシング（５１）の外側に、電動モーター（５０）を取付け、該電動モーター（５０）とブロワケーシング（５１）の一体幅は、左右方向で一個の側条施肥機（３６）の幅よりも小さく構成し、かつ、前後方向で一個の側条施肥機（３６）の幅よりも小さく構成し、該電動モーター（５０）自体は、側面視で一側の施肥ホッパー（４６）の前後外側端より下方の空間に配置し、後面視において施肥ホッパー（４６）の外側端と、該施肥ホッパー（４６）内の残留肥料を排出するシュート（７２）の外側端の間に位置するように配置し、前記電動モーター（５０）の出力軸（１５１）は、ファン駆動軸（１５６）に固設され、左右方向の同軸上に配置されている複数の側条施肥機（３６）のファン駆動軸（１５６・１５６・・・）間は、連結軸（１５７・１５７・・・）によって連結し、該連結軸（１５７）を被覆する円筒状カバー（１６０）の外径は、該ブロワケーシング（５１）の外径よりも小さく構成し、一または複数個の前記ブロワケーシング（５１）と円筒状カバー（１６０）及びその一端側に配設される電動モーター（５０）を合わせた全体幅を、一または複数個の側条施肥機（３６）で構成した全体の施肥装置（３７）の幅と同等もしくは、より小さく構成したことを特徴とする側条施肥機。
【発明の詳細な説明】
【０００１】
【発明の属する技術分野】
本発明は、田植機の側条施肥機の技術に関する。
【０００２】
【従来の技術】
従来より、田植機の走行機体の座席後部にホッパーやブロワや繰出装置を配置し、該繰出装置に条数本のホースを連通して、該ホースの先端に側条施肥ノズルを配置して植付部の側部へ配設した側条施肥機は公知となっており、前記側条施肥機の各繰出ケースを、一個のブロワケーシングに連通連接し、該ブロワケーシングの一端側にファン駆動手段たるモーターを取付けて、該モーターの出力軸を該ブロワケーシングの軸線上に伸延し、該出力軸の各繰出ケースに対応する位置に、それぞれファンを同軸的に取付けた側条施肥機が知られている。例えば、同一出願人による特開平７−３２７４３４の技術である。
【０００３】
【発明が解決しようとしている課題】
上記の技術では、各繰出ケースに対応する位置にファンが配設されるため、該ファンを内装するブロワケーシングの外径は必然的にファン径より大きなものとなっていた。ブロワケーシングはこの外径幅を左右方向の全幅にわたって維持していたため、側上施肥機下部でのスペースが狭いものとなっていた。このため運転席後部での作業者の作業スペースが限定され、またブロワケーシングが障害となって側上施肥機下部の調整にも困難があった。
【０００４】
【課題を解決するための手段】
本発明の解決しようとしている課題は以上の如くであり、次に該課題を解決するための手段を説明する。
【０００５】
田植機に装着する側条施肥機（３６）であって、施肥ホッパー（４６）の下部に繰出装置を配設し、各々の繰出装置の繰出部に、少なくとも吸入口（１５４）、排出口（１６１）、ファン（１５２）、ファン駆動軸（１５６）を内装するブロワケーシング（５１）を設け、該側条施肥機（３６）を複数並置し、一側端の側条施肥機（３６）のブロワケーシング（５１）の外側に、電動モーター（５０）を取付け、該電動モーター（５０）とブロワケーシング（５１）の一体幅は、左右方向で一個の側条施肥機（３６）の幅よりも小さく構成し、かつ、前後方向で一個の側条施肥機（３６）の幅よりも小さく構成し、該電動モーター（５０）自体は、側面視で一側の施肥ホッパー（４６）の前後外側端より下方の空間に配置し、後面視において施肥ホッパー（４６）の外側端と、該施肥ホッパー（４６）内の残留肥料を排出するシュート（７２）の外側端の間に位置するように配置し、前記電動モーター（５０）の出力軸（１５１）は、ファン駆動軸（１５６）に固設され、左右方向の同軸上に配置されている複数の側条施肥機（３６）のファン駆動軸（１５６・１５６・・・）間は、連結軸（１５７・１５７・・・）によって連結し、該連結軸（１５７）を被覆する円筒状カバー（１６０）の外径は、該ブロワケーシング（５１）の外径よりも小さく構成し、一または複数個の前記ブロワケーシング（５１）と円筒状カバー（１６０）及びその一端側に配設される電動モーター（５０）を合わせた全体幅を、一または複数個の側条施肥機（３６）で構成した全体の施肥装置（３７）の幅と同等もしくは、より小さく構成したものである。
【０００６】
【発明の実施の形態】
次に、本発明の実施例を図面に基づいて詳述する。図１は乗用田植機の側面図であり、図２は同じく平面図であり、図３は側条施肥機の平面断面図であり、図４は同じく正面図であり、図５は同じく側面断面図であり、図６は側条施肥機の支持の様子を示す側面断面図であり、図７は側条施肥機下部及びモーターを示す正面一部断面図である。
【０００７】
図１、図２において、１は作業者が搭乗する走行車であり、エンジン２を車体フレーム３前部上方に搭載させ、ミッションケース４前方にフロントアクスルケースを介して走行用前輪６を支持させると共に、前記ミッションケース４の後部にリヤアクスルケースを連接し、前記リヤアクスルケースに走行用後輪８を支持させる。そして、前記エンジン２等をボンネット９で覆うと共に、ステップ１１を介して作業者が搭乗する車体カバー１２上部に運転席１３を取付け、その運転席１３の前方で前記ボンネット９後部に操向ハンドル１４を設ける。
【０００８】
また、図中１５は、６条植え用の苗載台１６並びに複数の植付爪１７などを具備する植付部であり、前高後低の合成樹脂製の前傾式苗載台１６を下部レール１８及びガイドレール１９を介して植付ケース２０に左右往復摺動自在に支持させると共に、一方向に等速回転させるロータリケース２１を前記植付ケース２０に支持させ、該ロータリケース２１の回転軸芯を中心に対称位置に一対の爪ケース２２・２２を配設し、その爪ケース２２・２２先端に植付爪１７・１７を取り付ける。また、前記植付ケース２０の前側に図示せぬローリング支点軸を介して支持フレーム２４を設け、トップリンク２５及びロワーリンク２６を含むリンク機構２７を介して走行車１後側に支持フレーム２４を連結させ、前記リンク機構２７を介して植付部１５を昇降させる図示せぬ昇降シリンダをロワーリンク２６に連結させ、前記前後輪６・８を操向駆動して移動すると同時に、左右に往復摺動させる苗載台１６から一株分の苗を植付爪１７によって取出し、連続的に苗植え作業を行うように構成する。
【０００９】
また、図中２９は走行変速レバー、３０は植付昇降兼作業走行変速用副変速レバー、３５は均平用フロート、３６は一条用の側条施肥機であり、六つの側条施肥機３６全体で施肥装置３７を構成している。
【００１０】
これより側条施肥機について説明する。図１及び図６に示すように、車体フレーム３に立設された支持フレーム４０と、該車体フレーム３の後端部に下端部を枢着した左右一対のサイドステー５４・５４とを介して、該支持フレームの上部に支持機枠５３を支持し、該支持機枠５３上に、側条施肥機３６を６条用に６つ載置している。また、該側条施肥機３６の二個おきに、側板１４０が該支持機枠５３上に立設され、下方から上方へ向けて順に第一・第二・第三フレーム５５・５６・５７が横設されて、該側板１４０・１４０・・・を支持固定している。
【００１１】
図３〜図５に示すように、一条分の側条施肥機３６は、施肥ホッパー４６と、肥料Ａを定量供給する繰出ケース４７と、前記均平用フロート３５の側条施肥ノズル４８に肥料Ａを送出するフレキシブル形送出パイプ４９と、円筒形のブロワケーシング５１とを、各側条施肥機３６にそれぞれ備えている。また、該ブロワケーシング５１の左側端に後述するファン１５２を駆動する手段としての電動モーター５０を取付けている。
【００１２】
繰出ケース４７上側の取入口６９では施肥ホッパー４６の下部出口を嵌着すると共に、該繰出ケース４７前面の排出部４７ａ下側に取出口７０を形成し、該取出口７０を前後方向摺動自在のキャップ７１によって閉塞している。また、該取出口７０より前下方に向けてシュート７２を延設して、該キャップ７１を前方に摺動して、施肥ホッパー４６内の残留肥料を排出する。
【００１３】
また、繰出ケース４７は下部の排出部７６後方で前記フレキシブル形送出パイプ４９と、軟質合成樹脂製の接合パイプ７７を介して連通連結している。同様に排出部７６前方でも、ブロワケーシング５１後方の排出口１６１と該排出部７６前部が接合パイプ１６２を介して連通連結している。加えて該排出部７６内部に、後述するファン１５２からの気流を増速して負圧を発生させるためのベンチェリ部７９を形成し、該ベンチェリ部７９に肥料Ａの出口７８を臨ませている。
【００１４】
前記繰出ケース４７中部には、三枚の円板状の上繰出ロール６０と中繰出ロール６１と下繰出ロール６２が配置され、それぞれのロール上には繰出用の孔が開口され、上繰出ロール６０と下繰出ロール６２は繰出ケース４７に固定され、中繰出ロール６１は繰出軸８７の下部に固定されている。そして、該繰出軸８７を回転駆動させることによって、上繰出ロール６０の繰出孔８２から、中繰出ロール６１の繰出口８３に肥料Ａが入り、中繰出ロール６１が回転されて、下繰出ロール６２の繰出孔８４と一致すると肥料Ａがフレキシブル形送出パイプ４９内へ落下して一定量ずつ繰り出されるのである。
【００１５】
前記繰出軸８７への動力伝達は、次のようにして行われる。前記ミッションケース４の後端から、後向きに突出するＰＴＯ軸の中途部に固定したチェーンスプロケットと、車体フレーム３に立設される支持フレーム４０に固定した軸受ケース１００内のチェーンスプロケット１０１とに、チェーンを巻回して動力伝達し、さらに軸受ケース１００内の外横位置の伝動軸１０２にチェーン伝動する。該伝動軸１０２の端部のベベルギヤ１０２ａと噛合する従動ベベルギヤ１０５ａを介して、下縦伝動軸１０５に動力伝達した後、その上端に設けたリングコーン式無段変速機構９０を介して上縦伝動軸１０３に伝達する。該リングコーン式無段変速装置９０は、図５に示すように、入力側の下縦伝動軸１０５と一体的に回転する入力円板９２と、出力側の上縦伝動軸９１に回転可能に設けられた出力円板９３と、両円板９２、９３の間で相対的に回転可能に配置された複数の遊星コーン９４（この遊星コーン９４群は上縦伝動軸１０３と一体的に公転する）と、これら遊星コーン９４の円錐面に位置移動可能に摺接する非回転の変速リング９５等からなり、これらは変速機ケース９６内に収納されている。変速機ケース９６の後端のガイド部に、回転数（ひいては単位時間あたりの肥料の繰出し量）の調節ノブ９７を有する調節ネジ９８を配置し、該調節ネジ９８にシフタ９９の後端を螺合させ、該シフタ９９は前記変速リング９５に係合連結しており、調節ネジ９８の正回転、逆回転に応じてシフタ９９を図５において昇降させて、変速リング９５が押圧当接する遊星コーン９４の円錐面の位置を変化させて変速するものである。該上縦伝動軸１０３上端に固着しているベベルギヤ１０３ｂは、図３、図４に示すように、入力軸１２４に固着しているベベルギヤ１２４ａと噛合している。該入力軸１２４は、側条施肥機３６・３６・・・を貫通して左右方向に延設されている。そして図５に示すように、該側条施肥機３６内部で、該入力軸１２４上に固設されているベベルギヤ１２４ｂとベベルギヤ８７ａとは噛合しており、該繰出軸８７は後端で該ベベルギヤ８７ａと固着している。
【００１６】
前記構成により、ＰＴＯ軸からの動力が繰出軸８７に伝達されて、前記中繰出ロール６１が回転して肥料Ａの繰出し作業が行われる。また、前記調節ノブ９７の操作により、該繰出軸８７の回転速度を変化させて、肥料Ａを繰出す量を変化させることができる。
【００１７】
これより、本発明のブロワケーシングについて説明する。前記ブロワケーシング５１は、図５、図７で示すように、ケースブラケット５１ａを介して該ブロワケーシング５１下方で前記第一フレーム５５に螺設し、ケースブラケット５１ｂを介して上方で前記第二フレーム５６に螺設して、該ブロワケーシング５１を支持固定している。
【００１８】
図３、図４、図７で示すように、ブロワケーシング５１の一端側に取付けた電動モーター５０の出力軸１５１は、ファン駆動軸１５６に固設され、左右方向の同軸上に配置されているファン駆動軸１５６・１５６・・・間は、連結軸１５７・１５７・・・によって連結されている。該ブロワケーシング５１は外殻の左右両端に軸受け１５９・１５９を設けており、該軸受け１５９・１５９によって、該ファン駆動軸１５６を回動自在に軸支している。そして、該ブロワケーシング５１は、該ファン駆動軸１５６の前記繰出ケース４７の接合パイプ７７に対応する位置に、前記ファン１５２を同軸的に取付けると共に、該ブロワケーシング５１に吸入口１５４を介して外気に連通した吸気通路１５５とを設けている。
【００１９】
ブロワケーシング５１の左右両側より突出しているファン駆動軸１５６及び連結軸１５７には、外郭として円筒状のカバー１６０が配設されている。該カバー１６０の内径は、前記軸受け１５９の外径に等しく、ファン１５２を内装しているブロワケーシング５１の外径よりも小さなものとなっている。
【００２０】
図３、図４に示すように、電動モーター５０を含むブロワケーシング５１全体幅が左右方向で、側条施肥機３６全体の幅よりも小さく構成されている。また、図５に示すように、該ブロワケーシング５１及び電動モーター５０の全体幅は前後方向で、側条施肥機３６の幅よりも小さく構成されている。つまり、電動モーター５０は一側の施肥ホッパー４６の外側端より下方の空間に配置されて、後面視において施肥ホッパー４６の側端とシュート７２の側端の間に位置するように配置されて、機体幅よりはみ出すことがなく、折り畳み機構を省ける構成としているのである。
【００２１】
【発明の効果】
本発明は以上の如く構成したので、次のような効果を奏するものである。
田植機に装着する側条施肥機（３６）であって、施肥ホッパー（４６）の下部に繰出装置を配設し、各々の繰出装置の繰出部に、少なくとも吸入口（１５４）、排出口（１６１）、ファン（１５２）、ファン駆動軸（１５６）を内装するブロワケーシング（５１）を設け、該側条施肥機（３６）を複数並置し、一側端の側条施肥機（３６）のブロワケーシング（５１）の外側に、電動モーター（５０）を取付け、該電動モーター（５０）とブロワケーシング（５１）の一体幅は、左右方向で一個の側条施肥機（３６）の幅よりも小さく構成し、かつ、前後方向で一個の側条施肥機（３６）の幅よりも小さく構成し、該電動モーター（５０）自体は、側面視で一側の施肥ホッパー（４６）の前後外側端より下方の空間に配置し、後面視において施肥ホッパー（４６）の外側端と、該施肥ホッパー（４６）内の残留肥料を排出するシュート（７２）の外側端の間に位置するように配置し、前記電動モーター（５０）の出力軸（１５１）は、ファン駆動軸（１５６）に固設され、左右方向の同軸上に配置されている複数の側条施肥機（３６）のファン駆動軸（１５６・１５６・・・）間は、連結軸（１５７・１５７・・・）によって連結し、該連結軸（１５７）を被覆する円筒状カバー（１６０）の外径は、該ブロワケーシング（５１）の外径よりも小さく構成し、一または複数個の前記ブロワケーシング（５１）と円筒状カバー（１６０）及びその一端側に配設される電動モーター（５０）を合わせた全体幅を、一または複数個の側条施肥機（３６）で構成した全体の施肥装置（３７）の幅と同等もしくは、より小さく構成したので、ブロワのファン部を一条単位で構成し、ファンを内装するブロワケーシングも一条単位で独立しているため、施肥の条数の増加に対しても、ブロワケーシングの増設で対応できる。
また、ファン毎にケーシングが独立しているため、ファン駆動軸、連結軸を被覆するカバーはブロワケーシングと比べて小さな径にすることができ、ファンのない範囲のスペースを確保することができる。
このため、作業者の運転席背後での作業スペースの確保や側条施肥機下部の調整も容易に行うことができる。
さらに側条施肥機から構成される施肥装置を田植機本体から分離して輸送する際には、ブロワケーシング相互はファン駆動軸を連結する連結軸及び、ファン駆動軸、連結軸を被覆するカバーによってのみ連結されているため、ブロワケーシング毎に分割することが容易であり、全体の容量を小さくして輸送を行うことが容易にできる。
【００２２】
また、一または複数個の前記ブロワケーシング全体及びその一端側に配設されるモーターを合わせた全体幅を、一または複数個の前記側条施肥機の全体幅と同等もしくはより小さく構成するので、側条施肥機によって田植機本体幅が延長されることがなく、輸送、収納時に側条施肥機を、特にモーターやブロワケーシング等の排気駆動機構を、横幅を狭めるために折りたたみ収納する必要がない。
【図面の簡単な説明】
【図１】  乗用田植機の側面図である。
【図２】  同じく平面図である。
【図３】  側条施肥機の平面断面図である。
【図４】  同じく正面図である。
【図５】  同じく側面断面図である。
【図６】  側条施肥機の支持の様子を示す側面断面図である。
【図７】  側条施肥機下部及びモーターを示す正面一部断面図である。
【符号の説明】
３６  側条施肥機
４６  施肥ホッパー
４７  繰出ケース
５０  電動モーター
５１  ブロワケーシング
１５２  ファン
１５４  吸入口
１５６  ファン駆動軸
１５７  連結軸
１６０  カバー
１６１  排出口
【図１】
0003990520.tif 000002
【図２】
0003990520.tif 000003
【図３】
0003990520.tif 000004
【図４】
0003990520.tif 000005
【図５】
0003990520.tif 000006
【図６】
0003990520.tif 000007
【図７】
0003990520.tif 000008